(57)【要約】      （修正有）【課題】誤って操作した場合にも操作を途中で中止することが容易である誤作動防止警報装置を提供する。【解決手段】先端部分が装置本体の外部に露出し、引き出し可能な引き手と、引き手の基端部と連結される弾性体と、注意喚起スイッチと、警報スイッチと、注意喚起手段と、警報手段とを備える。注意喚起スイッチは、引き手が引き出される動作を感知して作動し、注意喚起手段を動作させる。注意喚起スイッチが作動後さらに引き手を所定長さ引き出し続けると、警報スイッチが作動し警報手段が動作する。【選択図】図１
0003155705.tif 000002
【実用新案登録請求の範囲】
【請求項１】
先端部分が装置本体の外部に露出し、装置本体から先端方向に引き出し可能な引き手と、
引き手の基端部と連結され、先端方向に抗する弾性力を奏する弾性体と、
引き手が引き出される動作を感知して作動する注意喚起スイッチと、
注意喚起スイッチの作動後において、引き手が所定長さ引き出されたことを感知して作動する警報スイッチと、
注意喚起スイッチの作動後から警報スイッチの作動まで動作し続ける注意喚起手段と、
警報スイッチの作動により動作する警報手段とを備える
ことを特徴とする誤作動防止機能付警報装置。
【請求項２】
先端部分が装置本体の外部に露出し、装置本体から先端方向に引き出し可能な引き手と、
引き手の基端部と連結され、先端方向に抗する弾性力を奏する弾性体と、
前記引き手に備えられた第一被検知部と、
前記第一被検知部よりも基端側であって、引き手に備えられた第二被検知部と、
引き手が引き出されることによって生じる第一被検知部の動作を伝達する第一伝達部と、
引き手が引き出されることによって生じる第二被検知部の動作を伝達する第二伝達部と、
第一伝達部から第一被検知部の動作の伝達を受けて作動する注意喚起スイッチと、
注意喚起スイッチの作動後において、第二伝達部から第二被検知部の動作の伝達を受けて作動する警報スイッチと、
注意喚起スイッチの作動後から警報スイッチの作動まで動作し続ける注意喚起手段と、
警報スイッチの作動により動作する警報手段とを備える
ことを特徴とする誤作動防止機能付警報装置。
【請求項３】
第一伝達部は、引き手が引き出されることによって生じる第一被検知部の動作を、前記第一被検知部が第一伝達部を通過、接触又は離脱することを検知することにより注意喚起スイッチに伝達し、
第二伝達部は、引き手が引き出されることによって生じる第二被検知部の動作を、前記第二被検知部が第二伝達部を通過、接触又は離脱することを検知することにより警報スイッチに伝達する
ことを特徴とする請求項２に記載の誤作動防止機能付警報装置。
【請求項４】
前記第一伝達部及び第二伝達部が一体の板バネから構成され、
第一被検知部は板バネを基端方向に保持可能に形成され、
第二被検知部は板バネを先端方向に保持可能に形成され、
前記板バネは、
あらかじめ第一被検知部が板バネを基端方向に保持して屈曲し、板バネが注意喚起スイッチに接触した状態であったところ、引き手が引き出されることにより第一被検知部の先端方向への動作を検知し、板バネが注意喚起スイッチから離脱することによって第一被検知部の先端方向への動作を注意喚起スイッチに伝達し、
一方、注意喚起スイッチの作動後さらに引き手が引き出されることによって、第二被検知部が板バネを先端方向に保持して屈曲することで第二被検知部の先端方向への動作を検知し、板バネが警報スイッチに接触することによって第二被検知部の先端方向への動作を警報スイッチに伝達する
ことを特徴とする請求項２に記載の誤作動防止機能付警報装置。
【考案の詳細な説明】
【技術分野】
【０００１】
本考案は、危険を感知した人間が自ら動作させることによって、外部の人間に警報を知らせることができる警報装置に関する。
【背景技術】
【０００２】
従来、人間が自ら動作させることによって警報を外部に知らせることができる警報器は、押ボタン式の作動スイッチを備え、当該押ボタンを押下することによって警報を送ることができるものであった。
【先行技術文献】
【特許文献】
【０００３】
【特許文献１】特開平１１−２５９７８５
【考案の概要】
【考案が解決しようとする課題】
【０００４】
しかし、実際の緊急の場合には、人間は危険の対象物に気を取られる等して、警報器を注意して探すことができない状況が生じやすいが、そのような状況下において押ボタン式の作動スイッチを備えた警報器の押ボタンの位置を瞬時に認識し、正確に押ボタンの位置へ手を伸ばして押すという行動は困難である場合が多い。
【０００５】
また、緊急の状況が発生していない場合に押ボタン式の作動スイッチに誤って触れてしまった場合には、押ボタンを押す動作を途中で中止することが困難であり、押ボタンに触れた人間の意思に関係なく警報器が作動し、誤作動を生じさせやすいという問題があった。
【課題を解決するための手段】
【０００６】
そこで、本考案に係る誤作動防止機能付警報装置は、先端部分が装置本体の外部に露出し、装置本体から先端方向に引き出し可能な引き手と、引き手の基端部と連結され、先端方向に抗する弾性力を奏する弾性体と、引き手が引き出される動作を感知して作動する注意喚起スイッチと、注意喚起スイッチの作動後において、引き手が所定長さ引き出されたことを感知して作動する警報スイッチと、注意喚起スイッチの作動後から警報スイッチの作動まで動作し続ける注意喚起手段と、警報スイッチの作動により動作する警報手段とを備えることを特徴とする。
【０００７】
引き手は紐体又は棒体であることが好ましく、引き手の先端部分を誤作動防止機能付警報装置の装置本体から外部へ垂下又は突出することにより露出させることにより、当該先端部分を把持して引き出すことができる。
【０００８】
引き手が紐体又は棒体であることにより、引き手の先端部分が前記本体の外部に露出している先端部分のいずれか任意の位置を把持して引き出せば警報装置を作動させることができ、引き手を捜す際にも、引き手の位置を注視しなくても、腕を水平方向もしくは垂直方向に払うことによって引き手を探し出すことができる。このため、緊急時において警報装置を注視しなくても迅速に警報を発することが可能となる。
【０００９】
弾性体は、引き手の基端部に連結され、引き手が先端方向に引き出される力に抗する弾性力を奏するものであり、ゴム、板バネ、つるまきバネ、渦巻きバネを用いることが好ましい。
【００１０】
注意喚起スイッチは、引き手が引き出される動作を感知して作動し、注意喚起手段を動作させる。注意喚起手段はブザーが鳴る、又はランプが点灯する、もしくはブザーとランプが同時に動作することとしても好ましい。
【００１１】
注意喚起スイッチは、引き手を直接監視することにより、その動きを直接に感知することにより作動するものでも良いが、引き手に第一被検知部が備えられ、当該第一被検知部の動作を第一伝達部が注意喚起スイッチに伝達することにより注意喚起スイッチが作動するように構成されていてもよい。
【００１２】
第一伝達部は、第一被検知部が第一伝達部を通過、接触又は離脱することを検知可能であることが好ましく、例えば第一伝達部が光センサー、接触センサー、又は磁気センサーであることが好ましい。
【００１３】
一方、注意喚起スイッチが作動後さらに引き手を所定長さ引き出し続けると、警報スイッチが作動し警報手段が動作する。警報手段はブザーが鳴る、又はランプが点灯する、もしくはブザーとランプが同時に動作することとしても好ましい。
【００１４】
ここで、注意喚起スイッチが作動後さらに引き手を所定長さ引き出して警報スイッチが作動するまで注意喚起手段は動作し続け、警報手段は動作することはない。このような構成により、引き手を誤って引き出した場合には注意喚起手段の動作中に誤りに気付いて引き出し操作を中止することができ、誤った警報を発してしまうという間違いを防止することができる。
【００１５】
そして、引き手を所定長さまで引き下げるという単純な操作によって警報手段を作動させることができるため、本当に緊急の場合には引き手を力強く引き出すことによって素早い警報の発報が可能となる。
【００１６】
ここで警報スイッチは、引き手を直接監視することにより、その動きを直接に感知することにより作動するものでも好ましいが、引き手に前記第一被検知部が備えられている場合には、引き手の第一被検知部よりも基端側に第二被検知部が備えられ、さらに当該第二被検知部の動作は、第二伝達部が検知して警報スイッチに伝達するように構成されることが好ましい。
【００１７】
第二伝達部は、第二被検知部が第二伝達部を通過、接触又は離脱することを検知可能であることが好ましく、例えば第一伝達部が光センサー、接触センサー、又は磁気センサーであることが好ましい。
【００１８】
さらに、本考案が第一被検知部、第二被検知部、第一伝達部、及び第二伝達部を備える場合、本考案は、第一伝達部及び第二伝達部が一体板バネに構成され、第一被検知部は板バネを基端方向に保持可能に形成され、第二被検知部は板バネを先端方向に保持可能に形成され、前記板バネは、あらかじめ第一被検知部が板バネを基端方向に保持して屈曲し、板バネが注意喚起スイッチに接触した状態であったところ、引き手が引き出されることにより第一被検知部の先端方向への動作を検知し、板バネが注意喚起スイッチから離脱することによって第一被検知部の先端方向への動作を注意喚起スイッチに伝達し、一方、注意喚起スイッチの作動後さらに引き手が引き出されることによって、第二被検知部が板バネを先端方向に保持して屈曲することで第二被検知部の先端方向への動作を検知し、板バネが警報スイッチに接触することによって第二被検知部の先端方向への動作を警報スイッチに伝達することを特徴としても良い。
【考案の効果】
【００１９】
本考案に係る誤作動防止機能付警報装置は、突然の緊急時であっても容易に警報を作動させる引き手を探し出すことができ、かつ、誤って操作した場合にも操作を途中で中止することが容易であることによって誤操作による警報の作動を防止できる。
【図面の簡単な説明】
【００２０】
【図１】平常時の装置本体２０の内部の状態と、その際の回路状態を示す図である。
【図２】注意喚起手段が動作している時の装置本体２０の内部の状態と、その際の回路状態を示す図である。
【図３】警報手段が動作している時の装置本体２０の内部の状態と、その際の回路状態を示す図である。
【図４】警報装置１０全体の外観を示す図である。
【図５】警報装置１０が家屋に設置されている状態を示す図である。
【考案を実施するための形態】
【００２１】
以下、図面に基づいて本考案の実施の形態について詳しく説明する。
【００２２】
図１（ａ）は、本考案に係る警報装置１０の装置本体２０の内部構造を示したものである。装置本体２０は、渦巻きバネ４２を備えた弾性機構４０に連結された引き手３０と、引き手３０の上下動を上下の屈曲により伝達する板バネ６０と、板バネ６０によりオン、オフされる注意喚起スイッチ７１及び警報スイッチ７３とを備える。
【００２３】
弾性機構４０は、装置本体２０に対して固定された固定軸４１と、固定軸４１の一端が固定された渦巻きバネ４２と、渦巻きバネ４２を内包して渦巻きバネ４２の他端が内面に結合された周方向に回転可能な回転筒４３と、回転筒４３の外面に形成された結合端４４と、外殻４５とからなる。
【００２４】
引き手３０は、基端３１が結合端４４に結合され、回転筒４３の外周に数回巻きつけられた後、外殻４５の下端から下方に垂下され、装置本体２０の下面に形成された引き出し孔２１からさらに装置本体２０の下方に先端３２が露出するように設置されている。
【００２５】
このように引き手３０は回転筒５３を介して渦巻きバネ４２に連結されているため、使用者は先端３２を把持して渦巻きバネ４２の弾性力を感じながら下方に引き出すことができ、また、引き出し操作を途中で中止して先端３２から手を離せば渦巻きバネ４２の弾性力によって瞬時に上方に引き戻すことができる。
【００２６】
渦巻きバネ４２の弾性力を感じながら引き出す操作によって、警報装置１０を作動させようとしていることを使用者自身が体感することができ、仮に誤って引き手３０を引き出そうとした場合にも素早くその操作が誤作動につながることを知ることができる。
【００２７】
板バネ６０は、先端部に切込み６１が形成され、固定端６２が固定部材６３によって固定されている。このような構成により、板バネ６０の先端部分を押し上げ、又は押し下げれば固定端６２を支点として板バネ６０を上下に屈曲させることができる。また、引き手３０は前記切込み６１の間隙を通して設置されている。
【００２８】
引き手３０には、当該切込み６１の下方に位置する部分に係止体５１が取付けられ、切込み６１の上方に位置する部分には係止体５２が取付けられている。引き手３０を上下に所定長さ引くことによって係止体５１又は係止体５２が切込み６１に引っ掛かり、板バネ６０の先端部分を押し下げ、又は押し上げるために注意喚起スイッチ７１、警報スイッチ７３の押釦７２、７４を押し込むことができる。
【００２９】
このような構成により、板バネ６０は、係止体５１、５２を介して引き手３０の動作を検知し、引き手３０の動作を注意喚起スイッチ７１及び警報スイッチ７３に伝達することができる。
【００３０】
また、板バネ６０は、上下方向の中間位置において平板状の形態を維持し、注意喚起スイッチ７１、警報スイッチ７３のいずれも開放状態とする。
【００３１】
図４は警報装置１０全体の外観を示す図であり、図５は警報装置１０が実際に家屋に設置されている状態を示している。平常時の引き手３０が引き出される前の状態においては示す平常ランプ８１が点灯している。引き手３０が下方に引き出され始めた後から所定長さ引き出されるまでの間、注意喚起手段である注意喚起ブザー８２が鳴り続ける。さらに引き手３０を所定長さまで引き出すと、警報手段として、屋内警報ランプ８３が点灯すると共に装置本体２０から屋外まで延出する接続コード８６に接続された屋外警報ランプ８４が点灯し、さらに屋外警報ブザー８５が鳴ることにより屋外に緊急事態の発生を知らせることができる。
【００３２】
以下、警報装置１０の動作について詳しく述べる。
【００３３】
図１（ａ）に示すように、引き手３０が引き出される前の段階においては、引き手３０は渦巻きバネ４２の弾性力によって上方に押し上げられており、係止体５１が板バネ６０の先端部分を上方に押し上げることによって、注意喚起スイッチ７１の押釦７２が押し込まれている状態を保っている。そして、押釦７２が押し込まれている間においては、図１（ｂ）の回路図に示すように前記平常ランプ８１に電流が流れて点灯し続ける。
【００３４】
次に、使用者が警報を発報しようと引き手３０を下方に引き出すと図２（ａ）に示すように係止体５１に押し上げられていた板バネ６０の先端が下がり、注意喚起スイッチ７１が開放された状態となる。
【００３５】
注意喚起スイッチ７１が開放すると図２（ｂ）の回路図に示すように注意喚起ブザー８２に電流が流れて鳴り始め、当該ブザーは警報スイッチ７３の押釦７４が押し込まれるまでの間鳴り続ける。
【００３６】
なお図２（ａ）に示すように、板バネ６０は、係止体５１が引き手３０と共に下方に引き下げられて板バネ６０から離脱した後、さらに引き手３０が引き出されて係止体５２が板バネ６０を押し下げるまでの間平板状となって注意喚起スイッチ７１および警報スイッチ７３のいずれのスイッチにも触れず、両スイッチは開放状態を維持する。
【００３７】
ここで、引き手３０をさらに引き下げて、係止体５２に押し下げられた板バネ６０が押釦７４を押し込むまでは屋外警報ランプ８４と屋外警報ブザー８５は動作しない。このため、注意喚起ブザー８２の動作に気付いた使用者が警報装置１０を間違って操作したと判断した場合には、その場で引き手３０から手を離すことによって引き手３０は弾性機構４０によって引き上げられ、屋外警報ランプ８４及び屋外警報ブザー８５が作動する前に操作を中止することができる。
【００３８】
一方、引き手３０を引き出し続けると、図３（ａ）のように係止体５２によって先端部分が押し下げられた板バネ６０が押釦７４を押し込む。そうすると図３（ｂ）の回路図に示すように電流が流れて屋内警報ランプ８３及び屋外警報ランプ８４が点灯すると共に屋外警報ブザー８５が鳴り、屋外に緊急事態の発生を知らせることができる。
【００３９】
なお図３（ｂ）の場合において、注意喚起ブザー８２は屋内警報ランプ８３、屋外警報ランプ８４、及び屋外警報ブザー８５と共に作動し続けるように構成されているが、注意喚起ブザー８２は押釦７４が押し込まれると動作が止まるように構成されてもよい。
【符号の説明】
【００４０】
１０  警報装置
２０  装置本体
３０  引き手
４０  弾性機構
４１  固定軸
４２  渦巻きバネ
４３  回転筒
５１  係止体
５２  係止体
６０  板バネ
６１  切込み
７１  注意喚起スイッチ
７３  警報スイッチ
８１  平常ランプ
８２  注意喚起ブザー
８３  屋内警報ランプ
８４  屋外警報ランプ
８５  屋外警報ブザー
【図１】
0003155705.tif 000003
【図２】
0003155705.tif 000004
【図３】
0003155705.tif 000005
【図４】
0003155705.tif 000006
【図５】
0003155705.tif 000007